(57)【要約】【課題】  回転軸にリップ部を備える軸シールのリップ部捲れ防止として、リップ部外周に捲れ防止リブを有することにより、回転軸挿入時のリップ部捲れの発生を抑え、液体や微粒子等の洩れを防止する軸シール部材、この軸シール部材を備えた現像装置、およびこの現像装置を搭載した画像形成装置を提供する。【解決手段】  回転軸２を装着しこの回転軸２を密封するための軸シールとして使用する穴３ａを有するリップ部３を備える軸シール部材１において、前記リップ部３の周部に捲れ防止リブ６を配置した。【選択図】  図１
2006170390.tif 000002
【特許請求の範囲】
【請求項１】
軸シールホルダの支持穴内に固定され、該支持穴内に回転軸を挿通支持する際に該支持穴内壁と回転軸外周面との間に介在して密封するための軸シール部材であって回転軸の挿入側端部にリップ部を有したものにおいて、
前記リップ部を構成する凹所内に捲れ防止リブを配置したことを特徴とする軸シール部材。
【請求項２】
前記捲れ防止リブの捩れ角度を前記回転軸の回転方向と逆方向に配置したことを特徴とする請求項１記載の軸シール部材。
【請求項３】
請求項１記載の軸シール部材を搭載したことを特徴とする現像装置。
【請求項４】
請求項３記載の現像装置を搭載したことを特徴とする画像形成装置。
【発明の詳細な説明】
【技術分野】
【０００１】
本発明は、軸シール捲れによる液体や微粒子等の漏洩防止のために現像装置において使用する軸シール部材、これをトナー洩れの防止のために備えた現像装置、およびこれを搭載した複写機、プリンタ、ファクシミリ等の画像形成装置に関するものである。
【背景技術】
【０００２】
従来、軸シールが回転軸からの液体や微粒子等の洩れを防止する手段として取り付けられるが、回転軸にリング状の穴を有するリップ部を備えた軸シールを挿入するさいに、回転軸の先端にリップ部が引っ掛かり、このリップ部が捲れることがあることは知られている（例えば、特許文献１参照）。
特許文献１には、捲れ防止の組み立て装置を軸シール組み立て時に装着することによって軸シールの捲れを防止することが開示されている。
図６は従来の軸シールにおける捲れ現象を説明するのに使用する概略断面図である。図７は図１の回転軸が軸シール部材に当接している状態を示す概略断面図である。図８は図７の当接部分の円Ａを拡大して示す概略図である。図９は回転軸が軸シール部材を貫通している状態を示す概略断面図である。図１０は図９の状態での捲れ発生箇所円Ｂを説明する拡大図である。
図６乃至図１０において、軸シールホルダ５には回転軸２からの液体や微粒子等の洩れを防止するために軸シール部材１が取り付けられる。この軸シール部材１はベアリング４とともに軸シールホルダ５に組み立てられた状態とする（図１および図２）。
穴３ａを有するリップ部３を備えた軸シール部材１に回転軸２を挿入するさいに、回転軸２の先端にリップ部３が引っ掛かり、リップ部３が捲れることがある（図８）。
捲れが発生したまま、回転軸２を回転させると、トルクが上昇したり、本来の密閉性を損ない、リップ部３の捲れから液体や微粒子等の洩れを起こしてしまう。この捲れは、さらに、回転軸２が軸シール部材１を貫通すると（図９）、図１０に示すような捲れとなる。
例えば、画像形成装置においては、現像ローラや搬送スクリュのような回転軸２からのトナー洩れを防止する役目として軸シール部材１を使用しており、かかる軸シール部材１のリップ部３の捲れが発生した状態であると、捲れからトナーが漏洩し、機内汚れや回転軸２のロックを引き起こすことがある。
図１１は従来技術による捲れ防止方法の第１の例を示す概略断面図である。図１２は従来技術による捲れ防止方法の第２の例を示す概略断面図である。図１３は図１１の従来技術による捲れ防止方法を適用できない例を示す概略断面図である。
【特許文献１】特開平１１−０２８６２５号公報
【発明の開示】
【発明が解決しようとする課題】
【０００３】
図１１の従来の方法では、回転軸２にリング状の穴を有するリップ部３を有する軸シール部材１を挿入するさいのリップ部３の捲れ防止として、回転軸２先端の形状をテーパ形状にすることで挿入時の捲れを防止するようにしている。
また、図１２の従来の方法では、回転軸２の挿入時に軸シール部材１を回転しながら挿入することで軸シール部材１のリップ部３の捲れを防止するようにしている。
しかし、回転軸２の先端形状をテーパにすることは、レイアウト的に不可能な場合がある。また、軸２の途中に溝２ａがある場合（図１３）には軸シール部材１のリップ部３に捲れが発生してしまう。図１１乃至図１３において、符号４はベアリング、５は軸シールホルダを示している。
さらに、回転軸２の挿入時に軸シール部材１を回転しながら挿入することでは時間が掛かる上に勘やコツが必要な作業なため、熟練を要し、誰にでもすぐできる訳ではない。従来方法では、以上に挙げた欠点を克服することが必要である。
そこで、本発明の目的は、上述した実情を考慮して、回転軸を挿入する際に、リップ部を備える軸シールのリップ部の捲れ防止として、リップ部を構成する凹所内に部分的に捲れ防止リブを有することにより、回転軸挿入時のリップ部捲れの発生を抑え、液体や微粒子等の洩れを防止する軸シール部材、この軸シール部材を備えた現像装置、およびこの現像装置を搭載した画像形成装置を提供することにある。
【課題を解決するための手段】
【０００４】
上記の課題を解決するために、請求項１に記載の発明は、軸シールホルダの支持穴内に固定され、該支持穴内に回転軸を挿通支持する際に該支持穴内壁と回転軸外周面との間に介在して密封するための軸シール部材であって回転軸の挿入側端部にリップ部を有したものにおいて、前記リップ部を構成する凹所内に捲れ防止リブを配置したことを特徴とする軸シール部材。
また、請求項２に記載の発明は、前記捲れ防止リブの捩れ角度を回転方向と逆方向に配置した請求項１記載の軸シール部材を特徴とする。
また、請求項３に記載の発明は、請求項１記載の軸シール部材を搭載した現像装置を特徴とする。
また、請求項４に記載の発明は、請求項３記載の現像装置を搭載した画像形成装置を特徴とする。
【発明の効果】
【０００５】
本発明によれば、回転軸にリング状の穴を有するリップ部を備える軸シール部材を挿入するさいに、回転軸の先端にリップ部が引っ掛かり、このリップ部が捲れる動作を起こそうとするが、リップ部の周部に配置された捲れ防止リブが捲れを抑えるので、密閉性を損なうことがなく、液体や微粒子等の洩れを防止することができる。
【発明を実施するための最良の形態】
【０００６】
以下、図面を参照して、本発明の実施の形態を詳細に説明する。図１は本発明による軸シール部材の第１の実施の形態を示す概略断面図である。図２は図１の軸シール部材の右側面図である。図３は軸シール部材と回転軸の当接部分を拡大して示す概略図である。
図１乃至図３に示すように、弾性材料から成る軸シール部材１は、図６で示したのと同様に、ベアリング４とともに軸シールホルダ５の支持穴５ａ内に組み立てられた状態とする。軸シール部材１は、中心の穴３ａと、リング状のリップ部３を備えている。リップ部３の凹所３ｂには所定の周方向間隔で捲れ防止リブ６を配置している。
図１の第１の実施の形態に示すような軸シールにおいて、回転軸２をリップ部３を備える軸シール部材１の穴３ａ内に挿入するさいに、回転軸２の先端にリップ部３が引っ掛かり、このリップ部３が捲れる動作を起こそうとする（図６、図７参照）。
しかしながら、本発明では、図２に示すようなリップ部３の周部に配置された捲れ防止リブ６が、リップ部３が捲れずに元の位置に戻るような力を発生するので、リップ部３の捲れを抑えることができ、密閉性を損なうことがない。
即ち、本発明は、軸シールホルダ５の支持穴５ａ内に固定され、該支持穴５ａ内に回転軸２を挿通支持する際に該支持穴内壁と回転軸外周面との間に介在して密封するための軸シール部材１であって回転軸２の挿入側端部にリップ部３を有したものにおいて、リップ部３を構成する凹所３ｂ内に、該凹所を部分的に埋設して補強（捲れにくい構造とする）捲れ防止リブ６を配置した構成が特徴的である。
この捲れ防止リブ６は、環状の凹所３ｂを有するリップ部３の周方向に沿って所定のピッチにて配置されることにより、該凹所３ｂを部分的に埋めて補強するように構成されている。捲れ防止リブ６の周方向幅、及び個数、ピッチは任意である。
【０００７】
図４は本発明による軸シール部材の第２の実施の形態を示す概略断面図である。図５は図４の軸シール部材の右側面図である。図４および図５において、軸シール部材１は、図６で示したと同様に、ベアリング４とともに軸シールホルダ５に組み立てられた状態とする。
軸シール部材１は、また、リング状の穴３を有したリップ部３を備えている。リップ部３の周部には捲れ防止リブ６を配置している。この捲れ防止リブ６は捩れ角度が回転方向と逆方向に配置されている。即ち、上記実施形態のリブ６は径方向へ延びる放射状の構成を有していたが、この実施形態のリブ６はねじれた状態で放射状に延びている。
図４および図５の第２の実施の形態に示すような軸シールにおいて、回転軸２にリップ部３を備える軸シール部材１を挿入するさいに、回転軸２の先端にリップ部３が引っ掛かり、このリップ部３が捲れる動作を起こそうとする。
しかしながら、リップ部３の凹所３ｂを部分的に埋めるように周部に配置された捲れ防止リブ６が捲れを抑えるので、軸シールホルダ５の内周との間の密閉性を損なうことがない。捲れ防止リブ６は回転軸２の回転方向と逆方向に配置されており、回転軸２と捲れ防止リブ６が対向に当たるので回転時の密閉性を上げる。
上述した軸シール部材１を有する軸シールは複写機、プリンタ、ファクシミリにおける現像装置に搭載して使用することができる。これによって、トナー洩れの無い現像装置を提供でき、また、この現像装置を搭載することによって、トナー洩れの無い画像形成装置を提供することができる。
【図面の簡単な説明】
【０００８】
【図１】本発明による軸シール部材の第１の実施の形態を示す概略断面図である。
【図２】図１の軸シール部材の右側面図である。
【図３】軸シール部材と回転軸の当接部分を拡大して示す概略図である。
【図４】本発明による軸シール部材の第２の実施の形態を示す概略断面図である。
【図５】図４の軸シール部材の右側面図である。
【図６】軸シールにおける捲れ現象を説明するのに使用する概略断面図である。
【図７】図１の回転軸が軸シール部材に当接している状態を示す概略断面図である。
【図８】図７の当接部分の円Ａを拡大して示す概略図である。
【図９】回転軸が軸シール部材を貫通している状態を示す概略断面図である。
【図１０】図９の状態での捲れ発生箇所円Ｂを説明する拡大図である。
【図１１】従来技術による捲れ防止方法の第１の例を示す概略断面図である。
【図１２】従来技術による捲れ防止方法の第２の例を示す概略断面図である。
【図１３】図１１の従来技術による捲れ防止方法を適用できない例を示す概略断面図である。
【符号の説明】
【０００９】
１  軸シール部材、２  回転軸、３  リップ部、３ａ  リップ部の穴、４  ベアリング、５  軸シールホルダ、６  捲れ防止リブ
【図１】
2006170390.tif 000003
【図２】
2006170390.tif 000004
【図３】
2006170390.tif 000005
【図４】
2006170390.tif 000006
【図５】
2006170390.tif 000007
【図６】
2006170390.tif 000008
【図７】
2006170390.tif 000009
【図８】
2006170390.tif 000010
【図９】
2006170390.tif 000011
【図１０】
2006170390.tif 000012
【図１１】
2006170390.tif 000013
【図１２】
2006170390.tif 000014
【図１３】
2006170390.tif 000015